(57)【要約】【課題】燃料電池が長時間発電しない場合でも温水中のレジオネラ属菌の繁殖を抑制可能な燃料電池システムを提供すること。【解決手段】燃料電池システム１は、水素と酸素との電気化学的反応により発電し発熱する燃料電池２０と、燃料電池２０で発生した熱を、媒体水ｃ、ｈを媒体として蓄える貯湯槽４０と、燃料電池２０と貯湯槽４０との間で媒体水ｃ、ｈを流す媒体水流路２１、３１と、媒体水流路３１内の媒体水ｈを流動させる媒体水ポンプ３２と、タイマー６１を有し、燃料電池２０が発電を行っていない状態が第１の所定の時間継続したときに媒体水流路３１内の媒体水ｈを貯湯槽４０内の媒体水ｈで置換するように媒体水ポンプ３２を制御する制御装置６０とを備える。【選択図】図１
2009076221.tif 000002
【特許請求の範囲】
【請求項１】
水素と酸素との電気化学的反応により発電し発熱する燃料電池と；
前記燃料電池で発生した熱を、媒体水を媒体として蓄える貯湯槽と；
前記燃料電池と前記貯湯槽との間で前記媒体水を流す媒体水流路と；
前記媒体水流路内の前記媒体水を流動させる媒体水ポンプと；
タイマーを有し、前記燃料電池が発電を行っていない状態が第１の所定の時間継続したときに前記媒体水流路内の前記媒体水を前記貯湯槽内の前記媒体水で置換するように前記媒体水ポンプを制御する制御装置とを備える；
燃料電池システム。
【請求項２】
前記貯湯槽に蓄えられていた前記媒体水が消費された分の水を前記貯湯槽に補給する補給水ラインを備える；
請求項１に記載の燃料電池システム。
【請求項３】
前記貯湯槽に補給された水量を検出する水量検出手段を備え；
前記制御装置が、前記燃料電池が発電を行っていない状態が第１の所定の時間継続したときに加えて、前記水量検出手段で検出した水量に基づいて算出した前記貯湯槽内の前記媒体水の残留塩素濃度が所定の濃度以上となっているときに、前記媒体水流路内の前記媒体水を前記貯湯槽内の前記媒体水で置換するように前記媒体水ポンプを制御する；
請求項２に記載の燃料電池システム。
【発明の詳細な説明】
【技術分野】
【０００１】
本発明は燃料電池システムに関し、特に燃料電池が長時間発電しない場合であっても温水中のレジオネラ属菌の繁殖を抑制することができる燃料電池システムに関する。
【背景技術】
【０００２】
水素と酸素とを使用して、これらの電気化学的反応により発電する燃料電池は、発電の際に発熱する。燃料電池を備えるシステムのエネルギー利用効率を高めるため、燃料電池の発電の際に発生した熱を、媒体としての水に蓄えて任意の時間に利用することを可能にする貯湯槽と、燃料電池と貯湯槽との間の水を別系統とするために、燃料電池で発生した熱を奪う冷却水と貯湯槽に蓄熱する温水との熱交換を行う熱交換器とを備える燃料電池システムがある（例えば、特許文献１参照。）。
【特許文献１】特開２００６−０１２５６３（図１等）
【発明の開示】
【発明が解決しようとする課題】
【０００３】
熱交換器と貯湯槽との間を流れる温水は、燃料電池で発生した熱を貯湯槽に運ぶ媒体であると共に、給湯や暖房等の熱需要において利用される。そして、燃料電池を長時間運転しない場合は、温水の温度が低下して温水中にレジオネラ属菌等の細菌類（以下単に「レジオネラ属菌」という。）が発生するおそれが生じることとなる。温水中にレジオネラ属菌が発生すると貯湯槽に蓄えられた温水を利用する際に感染する可能性が生じてしまう。
【０００４】
本発明は上述の課題に鑑み、燃料電池が長時間発電しない場合であっても温水中のレジオネラ属菌の繁殖を抑制することができる燃料電池システムを提供することを目的とする。
【課題を解決するための手段】
【０００５】
上記目的を達成するために、本発明の第１の態様に係る燃料電池システムは、例えば図１に示すように、水素と酸素との電気化学的反応により発電し発熱する燃料電池２０と；燃料電池２０で発生した熱を、媒体水ｃ、ｈを媒体として蓄える貯湯槽４０と；燃料電池２０と貯湯槽４０との間で媒体水ｃ、ｈを流す媒体水流路２１、３１と；媒体水流路２１、３１内の媒体水ｃ、ｈを流動させる媒体水ポンプ２２、３２と；タイマー６１を有し、燃料電池２０が発電を行っていない状態が第１の所定の時間継続したときに媒体水流路３１内の媒体水ｈを貯湯槽４０内の媒体水ｈで置換するように媒体水ポンプ３２を制御する制御装置６０とを備える。ここで「第１の所定の時間」は、典型的には、燃料電池における発電の停止から媒体水流路内の媒体水にレジオネラ属菌の発生が見られるようになる時間よりも短い時間であり、例えば、燃料電池における発電の停止から、媒体水流路内の媒体水にレジオネラ属菌の発生が見られるようになるまでの時間の半分の時間、又は媒体水流路内の媒体水中の残留塩素濃度が媒体水にレジオネラ属菌の発生が見られるようになる程に低下するまでに要する時間よりも短い時間である。
【０００６】
このように構成すると、燃料電池が発電を行っていない状態が第１の所定の時間継続したときに媒体水流路内の媒体水を貯湯槽内の媒体水で置換するので、媒体水流路内の媒体水にレジオネラ属菌が発生することを防ぐことができる。
【０００７】
また、本発明の第２の態様に係る燃料電池システムは、例えば図１に示すように、上記本発明の第１の態様に係る燃料電池システム１において、貯湯槽４０に蓄えられていた媒体水ｈが消費された分の水を貯湯槽４０に補給する補給水ライン４８を備える。
【０００８】
このように構成すると、レジオネラ属菌が繁殖しにくい新鮮な水を補給することが可能となり、媒体水流路内の媒体水を貯湯槽内の媒体水で置換したときに、媒体水流路内の媒体水へのレジオネラ属菌の発生を防ぐことに寄与することとなる。
【０００９】
また、本発明の第３の態様に係る燃料電池システムは、例えば図１に示すように、上記本発明の第２の態様に係る燃料電池システム１において、貯湯槽４０に補給された水量を検出する水量検出手段６８を備え；制御装置６０が、燃料電池２０が発電を行っていない状態が第１の所定の時間継続したときに加えて、水量検出手段６８で検出した水量に基づいて算出した貯湯槽４０内の媒体水ｈの残留塩素濃度が所定の濃度以上となっているときに、媒体水流路３１内の媒体水ｈを貯湯槽４０内の媒体水ｈで置換するように媒体水３２ポンプを制御する。
【００１０】
このように構成すると、水量検出手段で検出した水量に基づいて算出した貯湯槽内の媒体水の残留塩素濃度が所定の濃度以上となっているときに媒体水流路内の媒体水を貯湯槽内の媒体水で置換するので、媒体水流路内の媒体水にレジオネラ属菌が発生することを確実に防ぐことができる。
【００１１】
また、本発明の第４の態様に係る燃料電池システムとして、例えば図１に示すように、上記本発明の第２の態様又は第３の態様に係る燃料電池システム１において、媒体水流路２１、３１を流れる媒体水ｃ、ｈを昇温する昇温器５０と；媒体水流路３１を流れる媒体水ｈを貯湯槽４０に流入しないようにバイパスさせるバイパスライン３５と；媒体水流路３１を流れる媒体水ｈを、貯湯槽４０に流入させるのとバイパスライン３５に流入させるのとを切り替える切替手段６２と；切替手段６２に流入する媒体水ｈの温度を直接又は間接的に検出する温度検出器６５とを備え；制御装置６０が、燃料電池２０が発電を行っていない状態の継続時間が前記第１の所定の時間よりも短い第２の所定の時間となったときに媒体水ｈをバイパスライン３５に流入させつつ媒体水ｃ、ｈの昇温を開始し、切替手段６２に流入する媒体水ｈの温度が熱需要で利用可能な所定の温度以上となったときに、媒体水ｈを貯湯槽４０に流入させて媒体水流路３１内の媒体水ｈを貯湯槽４０内の媒体水ｈで置換するように切替手段６２を制御するようにしてもよい。
【００１２】
このように構成すると、媒体水流路内の媒体水を所定の温度以上に昇温するので、媒体水流路内の媒体水中のレジオネラ属菌の繁殖の進行を抑制することができ、所定の温度以上に昇温された媒体水を貯湯槽に流入させるので、熱需要で有効利用することができる。
【００１３】
また、本発明の第５の態様に係る燃料電池システムとして、例えば図１に示すように、上記本発明の第１の態様乃至第４の態様のいずれか１つの態様に係る燃料電池システム１において、媒体水流路が、燃料電池２０に接続されているが貯湯槽４０には接続されていない冷却水ライン２１と、貯湯槽４０に接続されているが燃料電池２０には接続されていない排熱回収水ライン３１とを含んで構成され；媒体水ポンプが、排熱回収水ライン３１に配設された排熱回収水ポンプ３２を含んで構成され；さらに、冷却水ライン２１を流れる媒体水ｃと排熱回収水ライン３１を流れる媒体水ｈとで熱交換を行わせる熱交換器３０を備えるように構成されていてもよい。
【００１４】
このように構成すると、冷却水ラインと排熱回収水ラインとを別系統とすることができ、水質管理が容易になると共に、貯湯槽内の媒体水で置換する媒体水流路（排熱回収水ライン）内の媒体水の量を少なくすることができる。
【発明の効果】
【００１５】
本発明によれば、燃料電池が発電を行っていない状態が第１の所定の時間継続したときに媒体水流路内の媒体水を貯湯槽内の媒体水で置換するので、媒体水流路内の媒体水にレジオネラ属菌が発生することを防ぐことができる。
【発明を実施するための最良の形態】
【００１６】
以下、図面を参照して本発明の実施の形態について説明する。なお、各図において互いに同一又は相当する部材には同一あるいは類似の符号を付し、重複した説明は省略する。なお、図１中、破線は制御信号を表す。
【００１７】
まず図１を参照して、本発明の実施の形態に係る燃料電池システム１の構成について説明する。図１は、燃料電池システム１の模式的系統図である。燃料電池システム１は、主要な機器として、燃料電池２０と、熱交換器３０と、貯湯槽４０と、昇温器としての電気ヒータ５０と、制御装置６０とを備えている。
【００１８】
燃料電池２０は、水素と酸素との電気化学的反応により発電し発熱するものであり、典型的には固体高分子型燃料電池である。燃料電池２０は、改質器（不図示）で生成された改質ガスｇを導入する燃料極２０ａと、酸化剤ガスｔを導入する空気極２０ｃと、電気化学的反応により発生した熱を奪う冷却部２０ｒとを含んで構成されている。改質器（不図示）は、原料とプロセス水とを導入し水蒸気改質反応により水素に富む改質ガスｇを生成する機器である。原料は、典型的には、メタン、エタン、ＬＰＧ等の鎖式炭化水素（天然ガスも含む）、あるいはメタノール、石油製品（灯油、ガソリン、ナフサ等）等の炭化水素を主成分とする混合物等の炭化水素系の原料である。改質ガスｇは、水素を４０％以上、典型的には７５％程度含み、一酸化炭素濃度がおよそ１０ｐｐｍ以下程度のガスである。酸化剤ガスｔは、典型的には空気である。燃料電池２０は、図では簡易的に示されているが、実際には、固体高分子膜を燃料極２０ａと空気極２０ｃとで挟んで単一のセルが形成され、このセルを冷却部２０ｒを介し複数枚積層して構成されている。
【００１９】
燃料電池２０では、燃料極２０ａに供給された改質ガスｇ中の水素が水素イオンと電子とに分解し、水素イオンが固体高分子膜を通過して空気極２０ｃに移動すると共に電子が燃料極２０ａと空気極２０ｃとを結ぶ導線を通って空気極２０ｃに移動して、空気極２０ｃに供給された酸化剤ガスｔ中の酸素と反応して水を生成し、この反応の際に発熱する。この反応で発生した熱は、冷却部２０ｒに供給される媒体水としての冷却水ｃによって除去される。換言すれば、燃料電池２０は冷却水ｃにより冷却される。また、この反応における、電子が導線を通ることにより、直流の電力を取り出すことができる。燃料電池２０は、直流電力を交流電力に変換するパワーコンディショナー（不図示）を介して、電気ヒータ５０、商用電源９８及び電力負荷９９とそれぞれ電気的に接続されている。
【００２０】
熱交換器３０は、燃料電池２０を冷却する冷却水ｃと、燃料電池２０で発生した熱を貯湯槽４０に蓄える媒体である媒体水としての排熱回収水ｈとの間で熱交換を行う機器であり、典型的にはプレート型熱交換器が用いられる。熱交換器３０は、冷却水ｃと排熱回収水ｈとが混合することがないように構成されている。熱交換器３０は、燃料電池２０から受熱して温度が上昇した冷却水ｃと冷却水ｃよりも温度が低い排熱回収水ｈとがカウンターフローにより熱交換し、燃料電池２０で発生した熱を冷却水ｃから排熱回収水ｈに伝達するように構成されている。熱交換器３０を用いて冷却水ｃと排熱回収水ｈとを別系統の流れとすることにより、冷却水ｃ及び排熱回収水ｈの水質を個別に管理することが可能となる。
【００２１】
貯湯槽４０は、燃料電池２０における電気化学的反応の際に発生した熱を、排熱回収水ｈを媒体として蓄える機器である。貯湯槽４０は、典型的には鉛直方向に長く耐食性に富む容器で形成されている。鉛直方向に長く形成されていることにより、内部に貯留される排熱回収水ｈの温度が上部から下部に向かうにしたがって低くなる温度成層の形成が容易になる。なお、排熱回収水ｈを媒体として貯湯槽４０に蓄えられた熱は、給湯や暖房機器（床暖房やファンコイルユニット等）などの熱需要（不図示）にて任意の時間に利用される。貯湯槽４０には、蓄えられている排熱回収水ｈを温水として給湯や暖房機器などの熱需要に供給するための温水往管４２が上部に、暖房機器等で熱が利用されて温度が低下した温水を導入する温水還管４３が下部に、給湯等で消費された温水分の水を補充するために水（例えば市水等）を導入する補給水管４８が下部に、それぞれ接続されている。温水往管４２には、熱需要に向けて供給される排熱回収水ｈを加熱昇温する不図示の加熱器（例えば追い焚き器）が配設されていてもよい。補給水管４８には、貯湯槽４０に補充される水の量を計測する水量検出手段としての量水器６８が設けられている。なお、温水往管４２から導出された温水と補給水管４８から導入される水の量とが同じになる場合は、量水器６８を温水往管４２に設けることとしてもよい。
【００２２】
燃料電池２０の冷却部２０ｒと熱交換器３０とは、内部に冷却水ｃを流す媒体水流路としての冷却水ライン２１で接続されている。燃料電池２０と熱交換器３０とが冷却水ライン２１で接続されることにより、冷却水ｃがこれらの間を循環する循環流路が形成される。冷却水ライン２１は、燃料電池２０から熱交換器３０へと冷却水ｃを流す第１冷却水ライン２１Ａと、熱交換器３０から燃料電池２０へと冷却水ｃを流す第２冷却水ライン２１Ｂとを有している。以下、第１冷却水ライン２１Ａと第２冷却水ライン２１Ｂとを特に区別する必要がない場合はこれらを総称して単に「冷却水ライン２１」という。第１冷却水ライン２１Ａには電気ヒータ５０が挿入配置されている。第２冷却水ライン２１Ｂには冷却水ｃを循環させる媒体水ポンプとしての冷却水ポンプ２２が挿入配置されている。なお、冷却水ポンプ２２は第１冷却水ライン２１Ａに挿入配置されてもよいが、燃料電池２０保護の観点から冷却部２０ｒが負圧になることを回避するために第２冷却水ライン２１Ｂに挿入配置されることが好ましい。
【００２３】
電気ヒータ５０は、燃料電池２０で発電した電力よりも電力負荷９９における消費電力が小さいときに、燃料電池２０で発電した余剰電力を消費する逆潮流防止電気ヒータとして機能する。また、電気ヒータ５０は、商用電源９８あるいは燃料電池２０から電力の供給を受けて発熱し、冷却水ライン２１を流れる冷却水ｃの温度を上昇させることもできる。電気ヒータ５０は、燃料電池２０から余剰電力が発生するときは燃料電池２０から電力の供給を受けて発熱し、燃料電池２０の発電がないときは商用電源９８から電力の供給を受けて発熱することができるように、燃料電池２０及び商用電源９８と電気的に接続されている。
【００２４】
熱交換器３０と貯湯槽４０とは、内部に排熱回収水ｈを流す媒体水流路としての排熱回収水ライン３１で接続されている。熱交換器３０と貯湯槽４０とが排熱回収水ライン３１で接続されることにより、排熱回収水ｈがこれらの間を循環する循環流路が形成される。排熱回収水ライン３１は、熱交換器３０から貯湯槽４０へと排熱回収水ｈを流す第１排熱回収水ライン３１Ａと、貯湯槽４０から熱交換器３０へと排熱回収水ｈを流す第２排熱回収水ライン３１Ｂとを有している。以下、第１排熱回収水ライン３１Ａと第２排熱回収水ライン３１Ｂとを特に区別する必要がない場合はこれらを総称して単に「排熱回収水ライン３１」という。第１排熱回収水ライン３１Ａは、好ましくは貯湯槽４０の上部で、より好ましくは貯湯槽４０の頂部で貯湯槽４０に接続されており、第２排熱回収水ライン３１Ｂは、好ましくは貯湯槽４０の下部で、より好ましくは貯湯槽４０の底部で貯湯槽４０に接続されている。このように接続されることで、貯湯槽４０の内部に貯留される排熱回収水ｈの温度成層の形成が容易になる。第２排熱回収水ライン３１Ｂには排熱回収水ｈを循環させる媒体水ポンプとしての排熱回収水ポンプ３２が挿入配置されている。なお、排熱回収水ポンプ３２は第１排熱回収水ライン３１Ａに挿入配置されてもよい。
【００２５】
第１排熱回収水ライン３１Ａと、排熱回収水ポンプ３２よりも上流側の第２排熱回収水ライン３１Ｂとは、バイパスライン３５で接続されている。バイパスライン３５は、第１排熱回収水ライン３１Ａを流れる排熱回収水ｈを、貯湯槽４０に流入させずに（貯湯槽４０をバイパスして）第２排熱回収水ライン３１Ｂへ導く流路である。第１排熱回収水ライン３１Ａとバイパスライン３５との接続部分には、第１排熱回収水ライン３１Ａを流れる排熱回収水ｈを貯湯槽４０に流入させるのと、貯湯槽４０をバイパスして第２排熱回収水ライン３１Ｂに流入させるのとを切り替える切替手段としての三方弁６２が配設されている。三方弁６２は、三方弁６２と貯湯槽４０との間の距離ができるだけ短くなるように配設されていることが好ましい。三方弁６２は制御装置６０からの信号を受信して電動で流路を切り替えることができるように構成されている。第１排熱回収水ライン３１Ａには、三方弁６２の直近上流に、排熱回収水ｈの温度を検出する温度検出器としての温度センサ６５が設けられている。
【００２６】
制御装置６０は、燃料電池システム１の運転を制御する。制御装置６０は燃料電池２０と信号ケーブルで接続されており、燃料電池２０が発電を行っているか否かの信号を受信できるように構成されている。また、制御装置６０は電気ヒータ５０と信号ケーブルで接続されており、電気ヒータ５０への通電の有無を制御できるように構成されている。また、制御装置６０は冷却水ポンプ２２及び排熱回収水ポンプ３２とそれぞれ信号ケーブルで接続されており、冷却水ポンプ２２及び排熱回収水ポンプ３２の発停や回転数をそれぞれ制御することができるように構成されている。また、制御装置６０は三方弁６２と信号ケーブルで接続されており、信号を送信して三方弁６２の流路を切り替えることができるように構成されている。また、制御装置６０は温度センサ６５と信号ケーブルで接続されており、温度センサ６５から温度信号を受信することができるように構成されている。また、制御装置６０は量水器６８と信号ケーブルで接続されており、量水器６８から水量信号を受信することができるように構成されている。また、制御装置６０は、時間を計測することができるタイマー６１を有している。
【００２７】
燃料電池システム１は、電気ヒータ５０が、上述のように第１冷却水ライン２１Ａに挿入配置されており、排熱回収水ライン３１には挿入配置されていない。したがって、加熱装置のない貯湯槽４０を含む排熱回収水系統がボイラー又は圧力容器としての扱いを受けない。これにより、燃料電池システム１の取り扱いが簡便になる。
【００２８】
引き続き図１を参照して、燃料電池システム１の作用を説明する。まず、燃料電池システム１の定常時（レジオネラ属菌の繁殖を抑制する制御を行わない時）の作用について説明する。電力負荷９９において電力需要が発生すると、制御装置６０は燃料電池２０が発電を行うように燃料電池システム１を制御する。このとき燃料電池２０には、燃料極２０ａに改質ガスｇが導入され、空気極２０ｃに酸化剤ガスｔが導入されて、燃料電池２０では改質ガスｇ中の水素と酸化剤ガスｔ中の酸素との電気化学的反応により発電が行われる。燃料電池２０で発電された電力は直流電力であるため、パワーコンディショナー（不図示）にて交流電力に変換された後に電力需要９９に供給される。制御装置６０は、典型的には電力需要９９における消費電力よりも所定の容量（例えば１００ｗ）だけ少ない電力を燃料電池２０で発電するように燃料電池２０に導入される改質ガスｇ及び酸化剤ガスｔの流量を制御する。電力需要９９が燃料電池２０から電力の供給を受けてなお不足する電力は、商用電源９８から供給を受けることで補われる。燃料電池２０は、その性質上、電力需要の急峻な変動に追従することが困難であるため、電力需要９９における消費電力よりも所定の容量だけ少ない電力を発電することにより、燃料電池２０で発電した電力が商用電源系統に逆潮流することを防いでいる。なお、仮に燃料電池２０における発電電力が電力需要９９の消費電力を上回った場合、制御装置６０は上回った分の電力（余剰電力）を電気ヒータ５０に通電し、熱に変換することで余剰電力を逆潮流させずに消費させる。
【００２９】
燃料電池２０は、発電が行われるのに伴い熱が発生する。制御装置６０は、改質ガスｇ及び酸化剤ガスｔが燃料電池２０に導入されたら、冷却水ポンプ２２及び排熱回収水ポンプ３２を起動する。また、制御装置６０は、三方弁６２に信号を送信して、当初は排熱回収水ｈがバイパスライン３５を流れるように三方弁６２の通水方向を設定し、温度センサ６５で検出された温度が熱需要で利用可能な所定の温度（例えば４５〜５０℃の任意の温度）以上のときは貯湯槽４０に流入するように三方弁６２の通水方向を切り替える。冷却水ポンプ２２が起動されることにより冷却水ｃが冷却水ライン２１を循環する。これにより、燃料電池２０の冷却部２０ｒに導入された冷却水ｃは燃料電池２０から熱を奪って温度が上昇し、他方、燃料電池２０は冷やされる。燃料電池２０は、冷却水ｃで冷却されることにより発電に適した温度（典型的には６０℃〜８０℃）に維持される。燃料電池２０の熱を奪って温度が上昇した冷却水ｃは、熱交換器３０で排熱回収水ｈと熱交換して燃料電池２０を冷却可能な程度に温度が低下し、他方、排熱回収水ｈの温度は上昇する。温度が低下した冷却水ｃは、再び冷却部２０ｒに導入されて燃料電池２０で発生した熱を奪う、というように冷却水ライン２１を循環する。なお、燃料電池２０で発電した電力に余剰電力が発生した場合は、その余剰電力は電気ヒータ５０に通電されることとなり、燃料電池２０で温度が上昇した冷却水ｃが電気ヒータ５０で受熱してさらに温度が上昇した後に熱交換器３０に導入される。
【００３０】
熱交換器３０で冷却水ｃと熱交換することにより温度が上昇した排熱回収水ｈは、その後貯湯槽４０の上部に流入する。他方、貯湯槽４０の下部からは、熱交換器３０に導入される冷却水ｃよりも温度が低い排熱回収水ｈが導出される。貯湯槽４０の下部から導出された排熱回収水ｈは、熱交換器３０に導入され、冷却水ｃと熱交換を行って温度が上昇する。貯湯槽４０には温度が高い排熱回収水ｈが上部から導入されることにより、温度成層が形成される。なお、形成された温度成層をできるだけ乱さないようにする観点から、貯湯槽４０に導入される排熱回収水ｈの動圧はできるだけ小さい方がよい。
【００３１】
貯湯槽４０に蓄えられた温度が高い排熱回収水ｈは、温水往管４２を介して給湯や暖房機器（床暖房やファンコイルユニット等）などの熱需要（不図示）に温水として供給される。熱需要に供給される温水の温度が熱需要において利用される温度よりも低下している場合は、加熱器（不図示）で加熱される。熱需要に供給された温水は、例えば、暖房機器等の熱を利用して物質としての水を消費しない場所に供給された場合は、暖房機器等において熱が利用されて温度が低下した後に温水還管４３を介して貯湯槽４０の下部に戻される。給湯等の物質としての水の消費を伴う場所に供給された場合は、給湯等に利用されて消費された分の水が補給水管４８を介して貯湯槽４０の下部に補充される。これらにより、貯湯槽４０の下部から流出する排熱回収水ｈは、熱交換器３０に導入される冷却水ｃよりも温度が低くなる。貯湯槽４０に補給された水量の情報は、信号として制御装置６０に送信される。
【００３２】
電力負荷９９の消費電力が燃料電池２０の最低発電電力（例えば３００ｗ）を下回ると、制御装置６０は、燃料電池２０への改質ガスｇ及び酸化剤ガスｔの導入を停止させて燃料電池２０が発電を行わないようにする。また、制御装置６０は、冷却水ポンプ２２及び排熱回収水ポンプ３２を停止して、冷却水ライン２１中の冷却水ｃの循環及び排熱回収水ライン３１中の排熱回収水ｈの循環を停止させる。冷却水ｃ及び排熱回収水ｈの循環が停止すると、冷却水ｃ及び排熱回収水ｈの熱が大気に放熱され、時間経過にしたがって冷却水ｃ及び排熱回収水ｈの温度が低下していく。排熱回収水ｈが排熱回収水ライン３１中に長時間滞留したまま温度が低下すると、排熱回収水ｈ中にレジオネラ属菌が繁殖するおそれがある。燃料電池システム１は、レジオネラ属菌が繁殖するおそれが生じる程度の長時間にわたって燃料電池２０の発電が行われない場合であってもレジオネラ属菌の繁殖を抑制するため、以下のような制御を行う。
【００３３】
図２は、排熱回収水ｈ中のレジオネラ属菌の繁殖を抑制する制御を説明するフローチャートである。制御装置６０は、燃料電池２０が発電を行わなくなると燃料電池２０から停止信号（発電を行わなくなった信号）を受信し、タイマー６１をリセットして時間の計測を開始する（ＳＴ１）。そして、制御装置６０は、燃料電池２０の発電が行われていない状態が第１の所定の時間継続したか否かを判断する（ＳＴ２）。ここで「第１の所定の時間」は、典型的には、燃料電池２０の発電の停止から排熱回収水ライン３１内の排熱回収水ｈにレジオネラ属菌の発生が見られるようになる時間よりも短い時間である。これは、燃料電池２０を長時間運転しない場合は、冷却水ｃ及び排熱回収水ｈの温度が低下してレジオネラ属菌が発生するおそれが生じることに鑑み、特に給湯や暖房等の熱需要において温水として消費される可能性がある排熱回収水ｈについては、その中にレジオネラ属菌が発生するおそれが生じる前に対策を講じる意図によるものである。
【００３４】
第１の所定の時間としては、例えば、燃料電池システム１が設置される地域の水質（特に残留塩素濃度）を考慮して、燃料電池２０の発電の停止から排熱回収水ライン３１内の排熱回収水ｈにレジオネラ属菌の発生が見られるようになるまでの時間の半分（１／２）の時間あるいは１／５の時間とすることができる。具体例としては、燃料電池２０の発電の停止から排熱回収水ライン３１内の排熱回収水ｈにレジオネラ属菌の発生が見られるようになるまでの時間が１００時間である場合には、第１の所定の時間は５０時間（１／２）あるいは２０時間（１／５）となる。又は、燃料電池２０の発電の停止から排熱回収水ライン３１内の排熱回収水ｈ中の残留塩素濃度が排熱回収水ｈ中にレジオネラ属菌の発生が見られるようになる程に低下するまでに要する時間よりも、少なくても後述の対策を講ずるのに要する時間分短い時間としてもよい。
【００３５】
燃料電池２０の発電が行われていない状態が第１の所定の時間継続したか否かを判断する工程（ＳＴ２）において、第１の所定の時間継続していないときは再度燃料電池２０の発電が行われていない状態が第１の所定の時間継続したか否かを判断する工程（ＳＴ２）に戻る。他方、第１の所定の時間継続しているときは、量水器６８で検出した水量に基づいて算出した貯湯槽４０内の排熱回収水ｈ中の残留塩素濃度が所定の濃度以上か否かを判断する（ＳＴ３）。ここで「所定の濃度」は、典型的には排熱回収水ｈ中にレジオネラ属菌が発生することのない残留塩素濃度である。残留塩素は、典型的には遊離残留塩素であるが、数値を換算して結合残留塩素を基準としてもよい。あるいは排熱回収水ｈ中にレジオネラ属菌が発生することのない濃度であれば遊離残留塩素と結合残留塩素との両方を基準としてもよい。燃料電池２０における発電が継続して行われていない場合であっても、貯湯槽４０内に貯留されている排熱回収水ｈに熱が蓄えられていれば、熱需要（不図示）において熱が利用され得る。給湯として利用されれば供給された温水（排熱回収水ｈ）は利用先で消費され、消費された分に相当する水量が補給水管４８を介して貯湯槽４０に導入される。補給水管４８を介して供給される水は塩素が添加されている市水であり、レジオネラ属菌の発生を抑制する効果がある。制御装置６０は、あらかじめ記憶されているその地域（燃料電池システム１が設置される地域）の市水の残留塩素濃度と、貯湯槽４０の容量と、量水器６８により検出された貯湯槽４０に導入された補給水（市水）の量とに基づいて貯湯槽４０内の排熱回収水ｈ中の残留塩素濃度を算出する。
【００３６】
貯湯槽４０内の排熱回収水ｈ中の残留塩素濃度が所定の濃度以上か否かを判断する工程（ＳＴ３）において所定の濃度未満であるときは、再び貯湯槽４０内の排熱回収水ｈ中の残留塩素濃度が所定の濃度以上か否かを判断する工程（ＳＴ３）に戻る。最初に判断した時点では所定の濃度未満である場合であっても、貯湯槽４０内の排熱回収水ｈが熱需要（不図示）において消費されて補給水（市水）が貯湯槽４０内に導入されることにより、後に所定の濃度以上になることもありうる。貯湯槽４０内の排熱回収水ｈ中の残留塩素濃度が所定の濃度以上か否かを判断する工程（ＳＴ３）において所定の濃度以上であるときは、制御装置６０は排熱回収水ｈが貯湯槽４０に流入するように三方弁６２を切り替える（ＳＴ４）。すでに排熱回収水ｈが貯湯槽４０に流入する方向に三方弁６２が切り替えられている場合は、その状態を維持すればよい。
【００３７】
その後、制御装置６０は、排熱回収水ポンプ３２を起動する（ＳＴ５）。すると、排熱回収水ライン３１に滞留していた排熱回収水ｈは貯湯槽４０にその上部から流入し、貯湯槽４０の下部から流出した排熱回収水ｈは排熱回収水ライン３１に流入する。そして、制御装置６０は、排熱回収水ライン３１に滞留していた排熱回収水ｈが、所定の濃度以上の残留塩素を保持する貯湯槽４０内の排熱回収水ｈに置換されたか否かを判断する（ＳＴ６）。置換されたか否かは、例えば、排熱回収水ポンプ３２の起動により排熱回収水ライン３１内を流れる排熱回収水ｈの流速に基づいて、排熱回収水ｈが貯湯槽４０の下部から出て排熱回収水ライン３１を流れ貯湯槽４０へ上部から流入するまでに要する時間をあらかじめ求めておき、その時間が経過したか否かにより判断することができる。置換されていない場合は、再び排熱回収水ライン３１に滞留していた排熱回収水ｈが所定の濃度以上の残留塩素を保持する貯湯槽４０内の排熱回収水ｈに置換されたか否かを判断する工程（ＳＴ６）に戻る。他方、置換された場合は、制御装置６０は、排熱回収水ポンプ３２を停止する（ＳＴ７）。
【００３８】
以上の図２を参照して説明したレジオネラ属菌の繁殖を抑制するフローの各工程において、電力需要が発生する等により燃料電池２０の発電が開始された場合は、このレジオネラ属菌の繁殖を抑制する制御がリセットされる。燃料電池２０の発電の開始に際し燃料電池システム１が起動して、排熱回収水ｈの滞留状態が解除されるからである。以上、図２に示した制御により、燃料電池システム１は、レジオネラ属菌が繁殖するおそれが生じる程度の長時間燃料電池２０の発電が行われない場合であってもレジオネラ属菌の繁殖を抑制することができる。
【００３９】
なお、レジオネラ属菌の繁殖を抑制する制御として、図２に示すフローチャートにおいて、量水器６８で検出した水量に基づいて算出した貯湯槽４０内の排熱回収水ｈ中の残留塩素濃度が所定の濃度以上か否かを判断する工程（ＳＴ３）を省略して、燃料電池２０の発電が行われていない状態が第１の所定の時間継続したか否かを判断する工程（ＳＴ２）において第１の所定に時間が経過している場合に直接排熱回収水ｈが貯湯槽４０に流入するように三方弁６２を切り替える工程（ＳＴ４）に進むシーケンスとするように制御装置６０を構成してもよい。
【００４０】
また、排熱回収水ポンプ３２を起動して（ＳＴ５）排熱回収水ｈを置換する際には、冷却水ポンプ２２を起動すると共に電気ヒータ５０を通電状態（発熱する状態）にして、排熱回収水ライン３１に滞留していた排熱回収水ｈを加熱した後に貯湯槽４０に導入することとしてもよい。このようにすると、置換される排熱回収水ライン３１に滞留していた排熱回収水ｈを、熱需要（不図示）で利用可能な温度に上昇させることができると共に、排熱回収水ｈの温度がレジオネラ属菌を滅菌可能な温度（例えば７５℃）以上に昇温される場合は、万一の場合の加熱による滅菌効果を奏することができる。この場合、燃料電池２０の発電は行われていないため、電気ヒータ５０は商用電源９８から受電して発熱することとなる。ただし上述のように、図２のフローチャートにおいて、排熱回収水ポンプ３２を起動する（ＳＴ５）のとほぼ同時に電気ヒータ５０を通電状態にする場合は、貯湯槽４０に流入する排熱回収水ｈが所定の温度まで上昇していない場合もある。排熱回収水ｈを熱需要における利用により資するようにするため、次に説明するような制御を行うこととしてもよい。なお、排熱回収水ライン３１に滞留していた排熱回収水ｈを加熱せずに貯湯槽４０に導入しても、熱需要（不図示）に向けて温水往管４２を流す際に、温水往管４２に配設された加熱器（不図示）により昇温することができる。
【００４１】
図３に、排熱回収水ｈ中のレジオネラ属菌の繁殖を抑制する制御の別の実施の形態のフローチャートを示す。図３のフローチャートで示す別の実施の形態は、燃料電池２０の発電が行われていない状態で排熱回収水ライン３１に滞留していた排熱回収水ｈを貯湯槽４０に流入させる際に、熱需要での利用により資するように排熱回収水ｈを所定の温度に昇温して貯湯槽４０に流入させようとするものである。制御装置６０は、燃料電池２０が発電を行わなくなるとタイマー６１により時間の計測を開始する（ＳＴ１１）。そして、制御装置６０は、燃料電池２０の発電が行われていない状態が第２の所定の時間継続したか否かを判断する（ＳＴ１２）。ここで「第２の所定の時間」は、第１の所定の時間よりも短い時間であり、典型的には、排熱回収水ライン３１内に滞留している排熱回収水ｈ全体を所定の温度に昇温するのに要する時間分、第１の所定の時間よりも短い時間である。
【００４２】
燃料電池２０の発電が行われていない状態が第２の所定の時間継続したか否かを判断する工程（ＳＴ１２）において、第２の所定時間継続していないときは再度燃料電池２０の発電が行われていない状態が第２の所定の時間継続したか否かを判断する工程（ＳＴ１２）に戻る。第２の所定時間継続しているときは、制御装置６０は、冷却水ポンプ２２及び排熱回収水ポンプ３２を起動すると共に電気ヒータ５０をＯＮにする（ＳＴ１３）。このとき、三方弁６２は、排熱回収水ｈがバイパスライン３５に流れるようになっている。また、燃料電池２０は発電を行っていないため、電気ヒータ５０は商用電源９８から電力の供給を受ける。排熱回収水ｈは、本実施の形態では冷却水ｃを介して間接的に電気ヒータ５０から受熱しているが、電気ヒータ５０が排熱回収水ライン３１に設けられることにより直接電気ヒータ５０から受熱することとしてもよい。排熱回収水ｈを昇温することで、排熱回収水ｈのレジオネラ属菌の繁殖の進行を抑制することができる。
【００４３】
次に制御装置６０は、温度センサ６５からの温度信号を受信して三方弁６２に流入する排熱回収水ｈの温度が所定の温度以上か否かを判断する（ＳＴ１４）。所定の温度以上であれば、定常運転時と同様に排熱回収水ｈが貯湯槽４０に流入するように三方弁６２を切り替える（ＳＴ１７）。他方、所定の温度以上でなければ、燃料電池２０の発電が行われていない状態が第１の所定の時間継続したか否かを判断する（ＳＴ１５）。この工程ＳＴ１５は、図２における工程ＳＴ２と同様の判断である。第１の所定の時間継続していないときは、排熱回収水ｈの温度が所定の温度以上か否かを判断する工程（ＳＴ１４）に戻る。他方、第１の所定の時間継続しているときは、量水器６８で検出した水量に基づいて算出した貯湯槽４０内の排熱回収水ｈ中の残留塩素濃度が所定の濃度以上か否かを判断する（ＳＴ１６）。この工程ＳＴ１６は、図２における工程ＳＴ３と同様の判断である。所定の濃度未満であるときは、再び貯湯槽４０内の排熱回収水ｈ中の残留塩素濃度が所定の濃度以上か否かを判断する工程（ＳＴ１６）に戻る。他方、所定の濃度以上であるときは、制御装置６０は排熱回収水ｈが貯湯槽４０に流入するように三方弁６２を切り替える（ＳＴ１７）。
【００４４】
制御装置６０は、排熱回収水ｈが貯湯槽４０に流入するように三方弁６２を切り替えたら（ＳＴ１７）、排熱回収水ライン３１に滞留していた排熱回収水ｈが、所定の濃度以上の残留塩素を保持する貯湯槽４０内の排熱回収水ｈに置換されたか否かを判断する（ＳＴ１８）。この工程ＳＴ１８は、図２における工程ＳＴ６と同様の判断である。置換されていない場合は、再び排熱回収水ライン３１に滞留していた排熱回収水ｈが所定の濃度以上の残留塩素を保持する貯湯槽４０内の排熱回収水ｈに置換されたか否かを判断する工程（ＳＴ１８）に戻る。他方、置換された場合は、制御装置６０は、排熱回収水ポンプ３２を停止する（ＳＴ１９）。
【００４５】
なお、図３のフローチャートで示す別の実施の形態の制御として、図３に示すフローチャートにおいて、燃料電池２０の発電が行われていない状態が第１の所定の時間継続したか否かを判断する工程（ＳＴ１５）及び貯湯槽４０内の排熱回収水ｈ中の残留塩素濃度が所定の濃度以上か否かを判断する工程（ＳＴ１６）を省略し、三方弁６２に流入する排熱回収水ｈの温度が所定の温度以上か否かを判断する工程（ＳＴ１４）において所定の温度以上でない場合に再び三方弁６２に流入する排熱回収水ｈの温度が所定の温度以上か否かを判断する工程（ＳＴ１４）に戻るように制御装置６０を構成してもよい。このようにすると、排熱回収水ｈを熱需要で利用可能な所定の温度に確実に昇温して貯湯槽４０に流入させることができる。また、図３に示すフローチャートにおいて、貯湯槽４０内の排熱回収水ｈ中の残留塩素濃度が所定の濃度以上か否かを判断する工程（ＳＴ１６）のみを省略し、燃料電池２０の発電が行われていない状態が第１の所定の時間継続したか否かを判断する工程（ＳＴ１５）において第１の所定に時間が経過している場合に直接排熱回収水ｈが貯湯槽４０に流入するように三方弁６２を切り替える工程（ＳＴ１７）に進むシーケンスとするように制御装置６０を構成してもよい。
【００４６】
以上の説明では、燃料電池２０が固体高分子型燃料電池であるとしたが、りん酸型燃料電池等の固体高分子型燃料電池以外の燃料電池であってもよい。しかしながら、固体高分子型燃料電池とすると、比較的低温で運転することができ、装置を小型化できるので、一般家庭等に設置するのに適している。
【００４７】
以上の説明では、昇温器が電気ヒータ５０であるとしたが、ガス等の燃料を燃焼させて生じた熱により水温を上昇させる機器（例えば湯沸かし器）であってもよい。しかしながら、電気ヒータ５０とすると、構成がシンプルになるし、逆潮流防止ヒータと兼用することができるので装置の小型化を図ることができるので好ましい。
【００４８】
以上の説明では、切替手段が三方弁６２であるとしたが、バイパスライン３５の接続点よりも下流側の第１排熱回収水ライン３１Ａとバイパスライン３５とにそれぞれ制御装置６０と信号ケーブルで接続された二方弁を挿入配置することにより、第１排熱回収水ライン３１Ａを流れる排熱回収水ｈを貯湯槽４０に流入させるのと、貯湯槽４０をバイパスして第２排熱回収水ライン３１Ｂに流入させるのとを切り替えるように構成してもよい。
【００４９】
以上の説明では、温度検出器６５が排熱回収水ライン３１に設けられているとして説明したが、冷却水ライン２１（好ましくは熱交換器３０の出口付近の冷却水ライン２１）に設けられていてもよい。温度検出器６５が冷却水ライン２１に設けられていても、電気ヒータ５０や熱交換器３０の特性をあらかじめ把握しておくことにより、排熱回収水ｈの温度を推定することができる。
【００５０】
以上の説明では、媒体水流路が冷却水ライン２１と排熱回収水ライン３１とに分かれていることとしたが、熱交換器３０を介さずに燃料電池２０と貯湯槽４０とを１系統のラインで接続することとしてもよい。しかしながら、熱交換器３０を設けて冷却水系統と排熱回収水系統とを別系統とすると水質管理が容易になり好適である。
【００５１】
以上の説明では、塩素が添加されている市水を貯湯槽４０に供給することにより貯湯槽４０内の残留塩素濃度を所定の濃度以上にすることとしたが、貯湯槽４０に塩素を添加する塩素供給器を備え、貯湯槽４０に塩素を直接添加することにより貯湯槽４０内の残留塩素濃度を所定の濃度以上にすることとしてもよい。しかしながら、市水を貯湯槽４０に供給することにより貯湯槽４０内の残留塩素濃度を所定の濃度以上にすることとすれば、塩素供給器等の特別な装置を設ける必要がなく、システムを簡素化することができる。
【図面の簡単な説明】
【００５２】
【図１】本発明の実施の形態に係る燃料電池システムの模式的系統図である。
【図２】排熱回収水中の菌繁殖を抑制する制御を説明するフローチャートである。
【図３】排熱回収水中の菌繁殖を抑制する別の制御を説明するフローチャートである。
【符号の説明】
【００５３】
１  燃料電池システム
２０  燃料電池
２１  冷却水ライン
２２  冷却水ポンプ
３１  排熱回収水ライン
３２  排熱回収水ポンプ
４０  貯湯槽
４８  補給水ライン
６０  制御装置
６１  タイマー
６８  水量検出手段
ｃ  冷却水
ｈ  排熱回収水
【図１】
2009076221.tif 000003
【図２】
2009076221.tif 000004
【図３】
2009076221.tif 000005